(57)【要約】【課題】連結ピンの撓みにより嵌合部に隙間が生じるのを防止して、円滑に作動し騒音や振動を低減するとともに、損傷の危険が少なく寿命の長いチェーンを提供すること。【解決手段】内リンクプレート１２０と外リンクプレート１１０とが交互に多数連結されているチェーン１００において、外リンクプレート１１０が、ピン孔１１４の周囲に肉厚部１１２を備えていること。【選択図】図１
2010127395.tif 000002
【特許請求の範囲】
【請求項１】
前後一対のブシュ孔を有する左右一対の内リンクプレートと、両端部が前記内リンクプレートのブシュ孔に圧入嵌着された円筒状のブシュと、前記内リンクプレートの両外側に配置され前後一対のピン孔を有する左右一対の外リンクプレートと、前記ブシュに回転自在に嵌挿されて両端部が前記外リンクプレートのピン孔に圧入嵌着された連結ピンとで構成され、前記内リンクプレートと前記外リンクプレートとが交互に多数連結されているチェーンにおいて、
前記外リンクプレートが、前記ピン孔の周囲に肉厚部を備えていることを特徴とするチェーン。
【請求項２】
前記外リンクプレートが、前記一対のピン孔の間に肉抜き孔を備えていることを特徴とする請求項１に記載のチェーン。
【発明の詳細な説明】
【技術分野】
【０００１】
本発明は、自動車、産業用機械等の動力伝達機構あるいは搬送機構などに用いられるチェーンに関するものである。
【背景技術】
【０００２】
従来、前後一対のブシュ孔を有する左右一対の内リンクプレートと、両端部が内リンクプレートのブシュ孔に圧入嵌着された円筒状のブシュと、内リンクプレートの両外側に配置され前後一対のピン孔を有する左右一対の外リンクプレートと、ブシュに回転自在に嵌挿されて両端部が外リンクプレートのピン孔に圧入嵌着された連結ピンとで構成され、内リンクプレートと外リンクプレートとが交互に多数連結されているチェーンが周知である。
【０００３】
これらの周知のチェーン５００は、図６に示すように、左右一対の内リンクプレート５２０と、両端部が内リンクプレート５２０のブシュ孔５２１に圧入嵌着された円筒状のブシュ５４０と、内リンクプレート５２０の両外側に配置する左右一対の外リンクプレート５１０と、ブシュ５４０に回転自在に嵌挿されて両端部が外リンクプレート５１０のピン孔５１４に圧入嵌着された連結ピン５３０とを有し、一対の外リンクプレート５１０のピン孔５１４に連結ピン５３０が嵌着固定された外リンク５０１と一対の内リンクプレート５２０のブシュ孔５２１にブシュ５４０が嵌着固定された内リンク５０２とが、ブシュ５４０に連結ピン５３０が緩挿されることにより交互に多数連結され、ブシュ１４０にローラ１５０が遊嵌されて構成されている。
【０００４】
そして、チェーン５００に引張力が作用すると、円筒状のブシュ５４０の内周面と該ブシュ５４０内に回転自在に嵌挿された連結ピン５３０の外周面が接触して張力を伝達し、チェーン５００が全体として動力伝達機構を構成する（例えば、特許文献１、２参照。）。
【特許文献１】特開２００４−２５７５３１号公報（第２頁、図５）
【特許文献２】特開２００７−１０７５８３号公報（第２頁、図８）
【発明の開示】
【発明が解決しようとする課題】
【０００５】
このような周知のチェーン５００は、図７に示すように、連結ピン５３０における引張力ｆが複数の異なる位置に集中して連結ピン５３０を曲げる方向に作用するが、引張力が大きくなると連結ピン５３０を撓ませる方向の力が発生する。
【０００６】
そして、連結ピン５３０が撓むと、図８に示すように、連結ピン５３０と外リンクプレート５１０のピン孔５１４との嵌合部に隙間Ｓが生じて接触面積が減少して力が集中する状態となるとともに、繰り返しの張力変化によって接触状態が変化することとなり、嵌合部が損傷したり嵌合が緩んだりし、円滑な作動が阻害されて振動や騒音が発生しやすくなるとともに、チェーン５００の損傷の危険が増すとともに寿命も短くなるという問題があった。
【０００７】
本発明は、前述したような従来技術の問題を解決するものであって、すなわち、本発明の目的は、連結ピンの撓みにより嵌合部に隙間が生じるのを防止して、円滑に作動し騒音や振動を低減するとともに、損傷の危険が少なく寿命の長いチェーンを提供することである。
【課題を解決するための手段】
【０００８】
本請求項１に係る発明は、前後一対のブシュ孔を有する左右一対の内リンクプレートと、両端部が前記内リンクプレートのブシュ孔に圧入嵌着された円筒状のブシュと、前記内リンクプレートの両外側に配置され前後一対のピン孔を有する左右一対の外リンクプレートと、前記ブシュに回転自在に嵌挿されて両端部が前記外リンクプレートのピン孔に圧入嵌着された連結ピンとで構成され、前記内リンクプレートと前記外リンクプレートとが交互に多数連結されているチェーンにおいて、前記外リンクプレートが、前記ピン孔の周囲に肉厚部を備えていることにより、前記課題を解決するものである。
【０００９】
本請求項２に係る発明は、請求項１に記載されたチェーンの構成に加えて、前記外リンクプレートが、前記一対のピン孔の間に肉抜き孔を備えていることにより、前記課題をさらに解決するものである。
【発明の効果】
【００１０】
本請求項１に係る発明のチェーンは、前後一対のブシュ孔を有する左右一対の内リンクプレートと、両端部が内リンクプレートのブシュ孔に圧入嵌着された円筒状のブシュと、内リンクプレートの両外側に配置され前後一対のピン孔を有する左右一対の外リンクプレートと、ブシュに回転自在に嵌挿されて両端部が外リンクプレートのピン孔に圧入嵌着された連結ピンとで構成され、内リンクプレートと外リンクプレートとが交互に多数連結されているチェーンにおいて、外リンクプレートがピン孔の周囲に肉厚部を備えていることによって、外リンクプレートのピン孔と連結ピンとの嵌合部分が長くなるため、チェーンに張力がかかった時に連結ピンが撓む力が働いても嵌合部に隙間が生じることが防止されるため、繰り返しの張力変化によって嵌合部が損傷したり嵌合が緩んだりすることが防止され、円滑に作動して振動や騒音を低減できるとともに、チェーンの損傷の危険を低減し寿命を長くすることができる。
【００１１】
そして、本請求項２に係る発明のチェーンは、請求項１に係るチェーンが奏する効果に加えて、外リンクプレートが一対のピン孔の間に肉抜き孔を備えていることによって、ピン孔の周囲を肉厚にしつつ外リンクプレートの重量を軽減することができるため、さらに円滑に作動して振動や騒音を低減できる。
【発明を実施するための最良の形態】
【００１２】
本発明のチェーンは、前後一対のブシュ孔を有する左右一対の内リンクプレートと、両端部が内リンクプレートのブシュ孔に圧入嵌着された円筒状のブシュと、内リンクプレートの両外側に配置され前後一対のピン孔を有する左右一対の外リンクプレートと、ブシュに回転自在に嵌挿されて両端部が外リンクプレートのピン孔に圧入嵌着された連結ピンとで構成され、内リンクプレートと外リンクプレートとが交互に多数連結されているチェーンにおいて、外リンクプレートがピン孔の周囲に肉厚部を備え、繰り返しの張力変化によって嵌合部が損傷したり嵌合が緩んだりすることが防止され、円滑に作動して振動や騒音を低減できるとともに、チェーンの損傷の危険を低減し寿命を長くすることができるという効果を発揮するものであれば、その具体的な実施態様は如何なるものであっても何ら構わない。
【実施例】
【００１３】
以下に、本発明のチェーンについて図面に基づいて説明する。
図１は、本発明の一実施例であるチェーンの斜視図であり、図２は、本発明の一実施例であるチェーンの外リンクプレートの斜視図であり、図３は、本発明の一実施例であるチェーンの外リンクプレートの正面図であり、図４は、本発明の一実施例であるチェーンの外リンクプレートの平面図であり、図５は、本発明の一実施例であるチェーンの作用の説明図である。
【００１４】
本発明の一実施例であるチェーン１００は、図１に示すように、左右一対の内リンクプレート１２０と、両端部が内リンクプレート１２０のブシュ孔１２１に圧入嵌着された円筒状のブシュ１４０と、内リンクプレート１２０の両外側に配置する左右一対の外リンクプレート１１０と、ブシュ１４０に回転自在に嵌挿されて両端部が外リンクプレート１１０のピン孔１１４に圧入嵌着された連結ピン１３０とを有し、一対の外リンクプレート１１０のピン孔１１４に連結ピン１３０が嵌着固定された外リンク１０１と一対の内リンクプレート１２０のブシュ孔１２１にブシュ１４０が嵌着固定された内リンク１０２とが、ブシュ１４０に連結ピン１３０が緩挿されることにより交互に多数連結されて構成されている。
なお、本実施例ではブシュ１４０にはローラ１５０が遊嵌されている。
【００１５】
外リンクプレート１１０は、図２乃至図４に示すように、連結ピン１３０が圧入嵌着されるピン孔１１４の周囲に内リンクプレート１２０と摺接する側面と反対側に膨出した肉厚部１１２が設けられている。
【００１６】
また、外リンクプレート１１０の前後一対のピン孔１１４の間の肉厚部１１２が設けられていない部分に肉抜き孔１１３が設けられている。
【００１７】
以上のように構成された外リンクプレート１１０を有するチェーン１００の動作について説明する。
チェーン１００が駆動されると、チェーン１００に加わる引張力は各ブシュ１４０および連結ピン１３０を介して外リンクプレート１１０の両ピン孔１１４および内リンクプレート１２０の両ブシュ孔１２１を左右に引っ張る方向に作用する。
【００１８】
このとき、従来のチェーン５００と同様に連結ピン１３０が撓む方向に力を受けるが、外リンクプレート１１０のピン孔１１４の周囲に肉厚部１１２が設けられているため、連結ピン１３０が大きな接触面積で圧入嵌着されており、連結ピン１３０が撓む方向の力を分散することができるため、ピン孔１１４と連結ピン１３０の間に隙間を生じることが防止される。
【００１９】
したがって、繰り返しの張力変化によってピン孔１１４と連結ピン１３０の嵌合部が損傷したり嵌合が緩んだりすることが防止され、円滑に作動して振動や騒音を低減できるとともに、チェーンの損傷の危険を低減し寿命を長くすることができる。
【００２０】
また、外リンクプレート１１０の前後一対のピン孔１１４の間の肉厚部１１２が設けられていない部分に肉抜き孔１１３が設けられているため、肉厚部１１２で増加する重量を肉抜き孔１１３で軽減することができるため、外リンクプレート１１０が軽量化されることで、チェーン１００の円滑な作動に支障が生じることはない。
【００２１】
以上のように、本発明によれば、繰り返しの張力変化によって嵌合部が損傷したり嵌合が緩んだりすることが防止され、円滑に作動して振動や騒音を低減できるとともに、チェーンの損傷の危険を低減し寿命を長くすることができるなど、その効果は甚大である。
【００２２】
なお、本実施例のチェーン１００は、ローラ１５０を有するローラチェーンであるが、ローラを有さないブシュチェーンであっても良い。
また、肉厚部１１２および肉抜き孔１１３の大きさや形状は実施例に限定されるものではなく、いかなる大きさ、形状であっても良い。
【図面の簡単な説明】
【００２３】
【図１】本発明の一実施例であるチェーンの斜視図。
【図２】本発明の一実施例であるチェーンの外リンクプレートの斜視図。
【図３】本発明の一実施例であるチェーンの外リンクプレートの正面図。
【図４】本発明の一実施例であるチェーンの外リンクプレートの平面図。
【図５】本発明の一実施例であるチェーンの作用の説明図。
【図６】従来のチェーンの説明図。
【図７】従来のチェーンの断面図。
【図８】従来のチェーンの作用の説明図。
【符号の説明】
【００２４】
１００、５００  ・・・チェーン
１０１、５０１  ・・・外リンク
１０２、５０２  ・・・内リンク
１１０、５１０  ・・・外リンクプレート
１１２          ・・・肉厚部
１１３          ・・・肉抜き孔
１１４          ・・・ピン孔
１２０、５２０  ・・・内リンクプレート
１２１          ・・・ブシュ孔
１３０、５３０  ・・・連結ピン
１４０、５４０  ・・・ブシュ
１５０、５５０  ・・・ローラ
【図１】
2010127395.tif 000003
【図２】
2010127395.tif 000004
【図３】
2010127395.tif 000005
【図４】
2010127395.tif 000006
【図５】
2010127395.tif 000007
【図６】
2010127395.tif 000008
【図７】
2010127395.tif 000009
【図８】
2010127395.tif 000010